(57)【要約】【課題】  画像形成装置の出力の形態をユーザが容易に認識することができ、ミスコピーを削減することができる画像形成装置を提供することである。【解決手段】  画像データを記憶する記憶手段と、前記記憶手段に記憶されている画像データに基づき用紙に画像を形成する画像形成部と、画像が形成された用紙に後処理を行う後処理部と、後処理を含む画像形成条件を設定する設定手段と、サムネイル画像を作成する画像処理手段と、前記サムネイル画像を表示する表示部と、前記サムネイル画像の表示を設定する表示設定部と、前記表示部の表示を制御する制御手段とを有する画像形成装置であって、前記制御手段は、前記表示設定部によりサムネイル画像を表示する設定がなされている場合、前記画像データと前記設定手段により設定された後処理を含む画像形成条件の設定情報から作成された後処理を含む用紙の仕上がりの出力形態を表すサムネイル画像を前記表示部に表示するように制御する。【選択図】  図３
2005323155.tif 000002
【特許請求の範囲】
【請求項１】
画像データを記憶する記憶手段と、前記記憶手段に記憶されている画像データに基づき用紙に画像を形成する画像形成部と、画像が形成された用紙に後処理を行う後処理部と、後処理を含む画像形成条件を設定する設定手段と、サムネイル画像を作成する画像処理手段と、前記サムネイル画像を表示する表示部と、前記サムネイル画像の表示を設定する表示設定部と、前記表示部の表示を制御する制御手段とを有する画像形成装置であって、前記制御手段は、前記表示設定部によりサムネイル画像を表示する設定がなされている場合、前記画像データと前記設定手段により設定された後処理を含む画像形成条件の設定情報から作成された後処理を含む用紙の仕上がりの出力形態を表すサムネイル画像を前記表示部に表示するように制御することを特徴とする画像形成装置。
【請求項２】
前記画像処理手段により作成する前記サムネイル画像は、画像データと後処理を含む用紙の仕上がりの出力形態とを重ね合わせて合成した合成画像であることを特徴とする請求項１に記載の画像形成装置。
【請求項３】
前記画像処理手段により作成する前記サムネイル画像は、画像データと前記設定手段により設定された後処理を含む画像形成条件の設定情報から作成された後処理を含む用紙の仕上がりの出力形態を見開き状態で表すものであることを特徴とする請求項１に記載の画像形成装置。
【請求項４】
前記設定手段により設定された後処理を含む画像形成条件が、少なくとも、出力用紙に対してステイプル止めする位置についての設定を含むことを特徴とする請求項１に記載の画像形成装置。
【請求項５】
前記設定手段により設定された後処理を含む画像形成条件が、少なくとも、出力用紙に対するパンチ穴の穴あけの要否の設定を含むことを特徴とする請求項１に記載の画像形成装置。
【発明の詳細な説明】
【技術分野】
【０００１】
本発明は、たとえば電子写真方式により用紙に画像形成する画像形成装置に関する。
【背景技術】
【０００２】
従来から、一様に帯電させた感光体の感光層に光を当てることによって露光して潜像を形成し、この潜像が形成された感光層にトナーを付着させることによって現像し、これを用紙に転写して画像形成を行うディジタル複写機等の電子写真方式の画像形成装置がよく知られている。
【０００３】
ところで最近では画像形成装置の多機能化が進み、カラーの画像形成が可能なのはもちろん、画像形成しようとしている画像をサムネイル画像でたとえば操作画面にて表示可能としているものも開示され始めている。
【０００４】
たとえば特許文献１に記載の画像形成装置では、カラー原稿を複写する際に、モノクロ画像形成するモノクロモードとカラー画像形成するカラーモードとを選択、設定することができ、この設定状態に応じて、操作画面にてモノクロのサムネイル画像を表示するか、カラーのサムネイル画像を表示するかを切り換えるようにしている。
【０００５】
【特許文献１】特開２００３−１０１７９７号公報
【発明の開示】
【発明が解決しようとする課題】
【０００６】
ところが、上述のような従来の装置においては以下のような問題があった。
【０００７】
たとえば特許文献１に記載の画像形成装置では、画像形成しようとしている画像のサムネイルを表示することができ、そのサムネイルによって原稿を確認し、所望の画像を検索したりすることはできるが、画像形成装置による後処理も含めた用紙の仕上がりの出力形態を表示することはできず、ユーザはどのような出力がされるのかを認識することができなかった。
【０００８】
こうなると、設定によってはユーザが期待する仕上がりとは違うものが出力されてしまい、ミスコピーとなり、無駄を生じてしまうという問題があった。
【０００９】
本発明は上記の点にかんがみてなされたもので、画像形成装置の出力の形態をユーザが容易に認識することができ、ミスコピーを削減することができる画像形成装置を提供することを目的とする。
【課題を解決するための手段】
【００１０】
本発明は上記の目的を達成するために、画像データを記憶する記憶手段と、前記記憶手段に記憶されている画像データに基づき用紙に画像を形成する画像形成部と、画像が形成された用紙に後処理を行う後処理部と、後処理を含む画像形成条件を設定する設定手段と、サムネイル画像を作成する画像処理手段と、前記サムネイル画像を表示する表示部と、前記サムネイル画像の表示を設定する表示設定部と、前記表示部の表示を制御する制御手段とを有する画像形成装置であって、前記制御手段は、前記表示設定部によりサムネイル画像を表示する設定がなされている場合、前記画像データと前記設定手段により設定された後処理を含む画像形成条件の設定情報から作成された後処理を含む用紙の仕上がりの出力形態を表すサムネイル画像を前記表示部に表示するように制御することを特徴とする。
【００１１】
また本発明は請求項１に記載の発明において、前記画像処理手段により作成する前記サムネイル画像は、画像データと後処理を含む用紙の仕上がりの出力形態とを重ね合わせて合成した合成画像であることを特徴とする。
【００１２】
また本発明は請求項１に記載の発明において、前記画像処理手段により作成する前記サムネイル画像は、画像データと前記設定手段により設定された後処理を含む画像形成条件の設定情報から作成された後処理を含む用紙の仕上がりの出力形態を見開き状態で表すものであることを特徴とする。
【００１３】
また本発明は請求項１に記載の発明において、前記設定手段により設定された後処理を含む画像形成条件が、少なくとも、出力用紙に対してステイプル止めする位置についての設定を含むことを特徴とする。
【００１４】
また本発明は請求項１に記載の発明において、前記設定手段により設定された後処理を含む画像形成条件が、少なくとも、出力用紙に対するパンチ穴の穴あけの要否の設定を含むことを特徴とする。
【発明の効果】
【００１５】
本発明によれば、画像形成装置の出力の形態をユーザが容易に認識することができ、ミスコピーを削減することができる画像形成装置を提供することができる。
【００１６】
すなわち本発明によれば、ユーザによる設定を反映させ、後処理も含めた用紙の仕上がりの出力形態をサムネイル表示することができるので、ミスコピーを削減することができる。
【発明を実施するための最良の形態】
【００１７】
以下、本発明の実施の形態を図面を参照して説明する。
【００１８】
図１は、本発明による画像形成装置の一実施の形態の構成を示す概略断面図である。本実施の形態では画像形成装置として電子写真方式の複写機を例に挙げて説明する。
【００１９】
ここで、図１を参照して本実施の形態による画像形成装置の構成および基本動作について説明する。
【００２０】
画像形成装置本体１００は、カラー画像形成手段用に複数組の原稿書き込みユニット１５３Ｙ、１５３Ｍ、１５３Ｃを備え、モノクロ画像形成手段用に原稿書き込みユニット１５４Ｋを備えるものである。原稿書き込みユニット１５３Ｙはイエロー色、原稿書き込みユニット１５３Ｍはマゼンタ色、原稿書き込みユニット１５３Ｃはシアン色、原稿書き込みユニット１５４Ｋは黒色の画像形成が可能になっている。
【００２１】
上記原稿書き込みユニット１５３Ｙ、１５３Ｍ、１５３Ｃ、１５４Ｋにそれぞれ対応して、感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋを備えている。また、上記カラー画像形成手段、モノクロ画像形成手段に共通する中間転写ユニット９を備えており、中間転写ユニット９は、複数のローラに巻回され、回転可能に支持されて上記感光体６Ｙ、６Ｍ、６Ｃ、６Ｋと接触可能に配置されたエンドレスベルト形状の中間転写体９ａと該中間転写体９ａを上記感光体６Ｙ、６Ｍ、６Ｃ、６Ｋに接触させて画像を転写させる一次転写手段９Ｙ、９Ｍ、９Ｃ、９Ｋを有している。
【００２２】
次いで他の構成を説明すると、画像形成装置本体１００の上部側には、スキャナ部として機能する原稿読み取りユニット１が設けられており、ガラス面のプラテン上に原稿がセットされ、原稿読み取りユニット１で走査されて読み取られる。該原稿読み取りユニット１内には上記走査によって得られる反射光が入力されるＣＣＤ１３１が配置されている。なお、原稿読み取りユニット１にはＡＤＦ（自動原稿送り装置）１ａを接続し、原稿の両面を読取可能な構成にすることが望ましい。
【００２３】
また、画像形成装置本体１００の下部には、給紙トレイ２、３、４が配置されており、それぞれに給紙手段２ａ、３ａ、４ａが設けられている。また、画像形成装置本体１００の側方外壁部には手差しトレイ５が設けられており、該手差しトレイ５に対する給紙手段５ａが設けられている。このように複数の給紙トレイ、手差しトレイが設けられているのでサイズの異なる複数種類の用紙を用いることができる。
【００２４】
上記給紙手段２ａ〜５ａの給紙側先方にはレジストローラ１５が配置され、さらにその先方には前記中間転写体９ａに用紙を押圧可能な二次転写ローラ１６が配置されている。該二次転写ローラ１６の先方には、定着手段１７が設けられており、該定着手段１７の先方には排紙ローラ１８が設けられている。
【００２５】
画像形成装置本体１００では、画像形成指令にしたがって、カラーでの印刷の際には、上記原稿書き込みユニット１５３Ｙ、１５３Ｍ、１５３Ｃ、１５４Ｋによって必要に応じて形成された画像が、前記感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋ、一次転写手段９Ｙ、９Ｍ、９Ｃ、９Ｋによって中間転写体９ａに転写される。一方、モノクロ印刷の際には上記原稿書き込みユニット１５４Ｋによって形成された画像が、前記感光体６Ｋ、帯電手段７Ｋ、現像手段８Ｋ、一次転写手段９Ｋによって中間転写体９ａに転写される。
【００２６】
一方、画像形成に必要な用紙は、用紙サイズ等にしたがって給紙トレイ２、３、４または手差しトレイ５のいずれかから、給紙手段２ａ、３ａ、４ａまたは５ａによって給紙され、レジストローラ１５を経て二次転写ローラ１６に至る。該二次転写ローラ１６によって用紙は中間転写体９ａに押圧され、中間転写体９ａ上の画像が用紙に転写される。画像が転写された用紙は、定着手段１７で画像の定着がなされ、排紙ローラ１８を経て画像形成装置本体１００の外部に排出される。
【００２７】
本実施の形態では、図１に示すように、画像形成装置本体１００に後処理装置３０を接続して画像形成装置を構成しており、画像形成装置本体１００から排出された用紙は後処理装置３０に導かれ、後処理装置３０においては、画像形成装置本体１００にて画像形成された用紙に対して必要に応じて後処理が施される。
【００２８】
後処理装置３０にて実施される後処理としては、たとえば、用紙のステイプル止め、用紙へのパンチ穴の穴あけ、などが挙げられる。
【００２９】
図２は、図１に示した画像形成装置の制御に関する構成を示すブロック図である。
【００３０】
図２に示すように、画像形成装置本体１００は、本体の全体制御を行う本体制御部２１と、原稿読み取りユニット１を有し、原稿から画像を読み取る画像入力部２２と、画像データに対して圧縮や伸長など任意の画像処理を施す画像処理部２３と、原稿書き込みユニット１５３Ｙ、１５３Ｍ、１５３Ｃ、１５４Ｋを有し、たとえば紙などの画像形成用紙に画像を形成する印刷制御部２５と、画像入力部２２によって読み取った画像データやそのほか、本体制御部２１で実行するソフトウェアプログラム、画像形成装置本体１００の動作に必要なパラメータ等を記憶する記憶部２４と、画像形成装置本体１００からユーザに対して情報表示したり、ユーザが画像形成装置本体１００に対する操作、指示等を入力する表示操作部２６とを有して構成される。
【００３１】
また、本体制御部２１は、表示操作部２６にてユーザから操作、指示された後処理を後処理装置３０にて実施するように、後処理装置３０に対する動作指示も行う。
【００３２】
記憶部２４に記憶する、本体制御部２１で実行するソフトウェアプログラムには、後述の本実施の形態のサムネイル表示の制御を行うソフトウェアプログラムが含まれる。
【００３３】
表示操作部２６は、たとえば、タッチパネル式の操作パネルと固定ボタン式の操作部とを有して構成される。この表示操作部２６は図１においては示していないが、画像形成装置本体１００の上段の、ユーザが操作しやすい位置に設けるのがよい。また、この表示操作部２６は、ＣＲＴ、液晶、ＥＬ等の表示パネル部と、表示パネルのボタン位置に対応した座標位置の検出を行うタッチパネル、マウス等の入力装置部とを含むものであってもよい。固定ボタン式の操作部には、画像形成装置に対してユーザがコピーの実行を指示するコピー開始ボタンが含まれる。
【００３４】
本実施の形態では、表示操作部２６の操作パネルには、本体制御部２１で動作するソフトウェアプログラムによる制御の下、ユーザに対して操作の案内をする操作画面が表示されるとともに、出力される用紙の形態を示す画像のサムネイルであるサムネイル画像が表示される。また、操作パネルの表示パネル部は、ＬＣＤで構成され、表示操作部２６内のＬＣＤコントローラによって表示の設定がされる。
【００３５】
すなわち本実施の形態では、この操作パネルの表示パネル部が、サムネイル画像を表示する表示部である。
【００３６】
次に、本実施の形態の動作について図面を参照しながら詳細に説明する。
【００３７】
本実施の形態の画像形成装置１００は、表示操作部２６におけるユーザによる設定に応じ、後処理を含む用紙の仕上がりの出力形態を表示することができ、本体制御部２１では、読み取った原稿画像や、記憶部２４に予め記憶してある後処理ごとの画像データ（後処理を含む用紙の仕上がりの出力形態）に基づいて、サムネイル画像を作成して表示する。すなわち本実施の形態では本体制御部２１がサムネイル画像を作成する画像処理手段である。このサムネイル画像は、原稿を読み取った画像データと、後処理を含む用紙の仕上がりの出力形態とを重ね合わせて合成した合成画像であってもよい。
【００３８】
図３は、図１に示した本実施の形態の画像形成装置の表示操作部２６に表示する操作画面の遷移を示す状態遷移図である。
【００３９】
また、図４は、図１に示した本実施の形態の画像形成装置の表示操作部２６に表示する基本画面の一例を示す図である。
【００４０】
また、図５は、図１に示した本実施の形態の画像形成装置の表示操作部２６に表示する出力設定画面の一例を示す図である。
【００４１】
また、図６は、図１に示した本実施の形態の画像形成装置の表示操作部２６に表示する原稿設定画面の一例を示す図である。
【００４２】
また、図７は、図１に示した本実施の形態の画像形成装置の表示操作部２６に表示する応用設定画面の一例を示す図である。
【００４３】
また、図８は、図１に示した本実施の形態の画像形成装置の表示操作部２６に表示するサムネイル表示画面の一例を示す図である。
【００４４】
さらに、図９は、図１に示した本実施の形態の画像形成装置の表示操作部２６に表示するサムネイル表示画面の一例であって、図８のサムネイルに続くページのサムネイルを表示する画面を示す図である。
【００４５】
まず、画像形成装置の電源を投入すると、画像形成装置１００の本体制御部２１は、図４に示す基本画面を表示操作部２６に表示するように制御する。このように表示する内容や様式は記憶部２４に予め記憶しておくようにすればよい。
【００４６】
図４の基本画面においては、仕上がり状態に関する設定を行う出力設定画面に遷移するための詳細設定ボタン３１や、原稿に関する設定を行う原稿設定画面に遷移するための原稿設定選択ボタン３２や、応用機能として設けた機能に関する設定を行う応用設定画面に遷移するための応用機能選択ボタン３３などが設けられている。
【００４７】
この基本画面において、ユーザが詳細設定ボタン３１を押すと、本体制御部２１はこれを検出し、表示操作部２６に表示する画面を、図５の出力設定画面へと切り替える（図３のステップ（Ａ−２））。
【００４８】
図５の出力設定画面においては、用紙の両面に印刷する場合に表面と裏面とで画像の天地をどのようにするかについての設定のための出力とじ方向設定欄３４や、出力結果に対して施すステイプルについての設定のためのステイプル設定欄３５や、パンチ穴の穴あけの要否等を設定する後処理設定欄３６などが設けられている。
【００４９】
ユーザはこの出力設定画面において、後処理装置（フィニッシャーともいう）３０による後処理を含めた仕上がりをどのような形態にするかの設定を行う。
【００５０】
たとえば、出力とじ方向設定欄３４においては、ユーザが「左右とじ」を選択すると両面印刷の表面と裏面とで画像の天地を同じくして画像形成し、「上とじ」を選択すると両面印刷の裏面を表面と天地逆にして画像形成する。
【００５１】
また、ステイプル設定欄３５においては、画像形成した用紙に対して後処理装置３０でステイプル止めをするのであれば、用紙の左肩、用紙の右肩、用紙の右側２ヶ所、用紙の上側２ヶ所のうちのどの場所でステイプル止めするのかを設定することができる。またステイプル止めの要否を設定するものであってもよい。
【００５２】
また、後処理設定欄３６においては、たとえばパンチ穴の穴あけの要否を設定することができる。またパンチ穴をあける位置の設定をするものであってもよい。
【００５３】
ユーザが図５の出力設定画面においてＯＫボタン３７を押すと、本体制御部２１は、その時点での各設定を検出し、以降の制御において、その検出した設定結果を反映した制御を行う。また、このＯＫボタン３７の押下を受けて、本体制御部２１は、表示操作部２６に表示する画面を、図４の基本画面へと切り替える（図３のステップ（Ａ−２））。
【００５４】
次に、図４の基本画面において、ユーザが原稿設定選択ボタン３２を押すと、本体制御部２１はこれを検出し、表示操作部２６に表示する画面を、図６の原稿設定画面へと切り替える（図３のステップ（Ａ−２））。
【００５５】
図５の原稿設定画面においては、コピーのために読み取る原稿が両面に印刷されている場合に表面と裏面とで画像の天地がどのようになっているかについての設定のための原稿とじ方向設定欄３８や、読み取らせる原稿の向きの設定のための原稿セット方向設定欄３９などが設けられている。
【００５６】
ユーザはこの原稿設定画面において、図１に示したＡＤＦ１ａにセットする原稿がどのような形態のものであるのかの設定を行う。
【００５７】
たとえば、原稿とじ方向設定欄３８においては、ユーザが「左右とじ」を選択すると、読み取り対象の原稿が両面印刷の表面と裏面とで画像の天地が同じであると本体制御部２１が判断し、「上とじ」を選択すると、読み取り対象の原稿が両面印刷の表面と裏面とで画像の天地が逆であると本体制御部２１が判断する。
【００５８】
また、原稿セット方向設定欄３９においては、原稿の画像の向きがどのような向きであるのかを設定し、本体制御部２１に申告することができる。
【００５９】
ユーザが図６の原稿設定画面においてＯＫボタン４０を押すと、本体制御部２１は、その時点での各設定を検出し、以降の制御において、その検出した設定結果を反映した制御を行う。また、このＯＫボタン４０の押下を受けて、本体制御部２１は、表示操作部２６に表示する画面を、図４の基本画面へと切り替える（図３のステップ（Ａ−２））。
【００６０】
以上が後処理を含む画像形成条件を設定する設定手段である。
【００６１】
次に、図４の基本画面において、ユーザが応用機能選択ボタン３３を押すと、本体制御部２１はこれを検出し、表示操作部２６に表示する画面を、図７の応用設定画面へと切り替える（図３のステップ（Ａ−１））。
【００６２】
図７の応用設定画面においては、コピーの際に、画像形成や後処理を含む用紙の出力形態を画像で示すサムネイル表示機能を利用するか否かの設定のためのサムネイル表示／非表示切替ボタン４１などが設けられている。
【００６３】
ユーザはこの応用設定画面において、画像形成装置の各種の応用機能についての設定を行う。
【００６４】
たとえば、サムネイル表示／非表示切替ボタン４１においては、このサムネイル表示／非表示切替ボタン４１をユーザが押してアクティブ状態にした場合には、コピーの際に、画像形成や後処理を含む用紙の出力形態を画像で示すサムネイル表示を行うように設定し、このサムネイル表示／非表示切替ボタン４１をユーザが再度押して非アクティブ状態にした場合には、コピーの際に、画像形成や後処理を含む用紙の出力形態を画像で示すサムネイル表示を行わないように設定する。これがサムネイル画像の表示を設定する表示設定部である。
【００６５】
ユーザが図７の応用設定画面においてＯＫボタン４２を押すと、本体制御部２１は、その時点での各設定を検出し、以降の制御において、その検出した設定結果を反映した制御を行う。また、このＯＫボタン４２の押下を受けて、本体制御部２１は、表示操作部２６に表示する画面を、図４の基本画面へと切り替える（図３のステップ（Ａ−１））。
【００６６】
各種設定結果は記憶部２４に記憶しておくようにしてもよい。
【００６７】
以上説明したようにして各種の設定が完了したならば、ユーザは、ＡＤＦ１ａに原稿をセットし、表示操作部２６の固定ボタン式の操作部に設けられたコピー開始ボタンを押し、画像形成装置に対してコピーの実行を指示する。
【００６８】
コピー開始ボタンの押下を検出した本体制御部２１は、画像入力部２２を制御してＡＤＦ１ａにセットされた原稿の画像を読み取り、その後、図７のサムネイル表示／非表示切替ボタン４１による設定がサムネイル表示を行わないものであった場合には、上述のようにして設定された設定結果に基づき印刷制御部２５を制御して画像形成を行うとともに、後処理装置３０を制御して、設定された後処理を実行した上で、用紙の出力を行う。
【００６９】
一方、図７のサムネイル表示／非表示切替ボタン４１による設定がサムネイル表示を行うものであった場合には、本体制御部２１は、画像入力部２２を制御してＡＤＦ１ａにセットされた原稿の画像を読み取った後、上述のようにして設定された設定結果に基づき画像形成および後処理を行った場合の出力形態を示すサムネイルの画像データを作成し、表示操作部２６の画面を図８のサムネイル表示画面へと切り替え、作成したサムネイルを表示する。
【００７０】
図８は出力用紙の１ページ目のサムネイルを表示する画面の例であり、図９は出力用紙の２ページ目および３ページ目のサムネイルを表示する画面の例である。
【００７１】
図８および図９のサムネイル表示画面においては、画像形成および後処理を経た出力形態を画像で示すサムネイルを表示する欄であるサムネイル表示欄４５や、画像形成する用紙のうちでサムネイル表示欄４５にサムネイル表示するページを選択するためのページ選択ボタン４６や、ユーザがサムネイルを参照した結果、図５の出力設定画面での設定を変更したい場合に用いる出力設定変更ボタン４７や、ユーザがサムネイルを参照した結果、図６の原稿設定画面での設定を変更したい場合に用いる原稿設定変更ボタン４７が設けられている。
【００７２】
図８や図９のサムネイル表示画面において、ユーザが違うページのサムネイルを参照したい場合には、ページ選択ボタン４６を操作してページ選択を行なう。これを受けた本体制御部２１は、選択されたページのサムネイルをサムネイル表示欄４５に表示する。
【００７３】
図８や図９のサムネイル表示欄４５のサムネイルでは、一例として、ステイプル設定欄３５にてステイプル止めを用紙の左肩に行う設定をし、後処理設定欄３６にてパンチ穴の穴あけを実施するような設定をし、出力とじ方向設定欄３４にて「上とじ」の設定をした場合を示している。また、この実施の形態の例では、図９に示すように出力用紙の２ページ目と３ページ目とを１つの操作画面にてサムネイル表示し、ユーザが出力結果を見開き状態で確認できるようにしている。
【００７４】
ユーザは、このサムネイル表示欄４５のサムネイルを参照し、たとえばパンチ穴が画像にかかってしまっていないか、ステイプル位置は希望する位置であるか、画像の天地は正しいか、などを判断する。
【００７５】
ユーザは、サムネイル表示されているような設定結果の状態で出力してよいと判断した場合には、コピー開始ボタンを押下する。これを受けた本体制御部２１は、上述のようにして設定された設定結果に基づき印刷制御部２５を制御して画像形成を行うとともに、後処理装置３０を制御して、設定された後処理を実行した上で、用紙の出力を行う。
【００７６】
一方、サムネイルが自分が希望する出力と違うものであった場合には、ユーザは設定の変更を行う。図５の出力設定画面での設定を変更したい場合には、ユーザは出力設定変更ボタン４７を押し、また図６の原稿設定画面での設定を変更したい場合には、ユーザは原稿設定変更ボタン４７を押す。
【００７７】
図９の場合、出力とじ方向設定欄３４にて「上とじ」の設定がされているため、用紙の表面と裏面とで画像の天地が逆になっているが、用紙の左側にパンチ穴をあけてとじるのであれば、出力とじ方向設定欄３４の設定を「左右とじ」に変更するのが望ましい。このようにユーザが判断した場合には、ユーザは出力設定変更ボタン４７を押す。これを受けた本体制御部２１では、表示操作部２６の操作画面を図５の出力設定画面へと切り替える。
【００７８】
ユーザはこの出力設定画面において設定を変更し、変更が完了したならばＯＫボタン３７を押す。これを受けた本体制御部２１では、表示操作部２６の操作画面をサムネイル表示画面へと切り替える。このとき、本体制御部２１では、変更された設定を反映したサムネイルの画像データを作成し、それをサムネイル表示欄４５に表示する。
【００７９】
図６の原稿設定画面での設定を変更するために、ユーザがサムネイル表示画面にて原稿設定変更ボタン４７を押した場合も同様に、本体制御部２１では、これを受けて表示操作部２６の操作画面を原稿設定画面に切り替え、この原稿設定画面にてＯＫボタン４０が押された場合には表示操作部２６の操作画面をサムネイル表示画面へと切り替える。
【００８０】
ユーザは再度サムネイルを確認し、サムネイル表示されているような設定結果の状態で出力してよいと判断した場合には、コピー開始ボタンを押下する。これを受けた本体制御部２１は、上述のようにして設定された設定結果に基づき印刷制御部２５を制御して画像形成を行うとともに、後処理装置３０を制御して、設定された後処理を実行した上で、用紙の出力を行う。
【００８１】
印刷制御部２５による画像形成が開始されたならば、本体制御部２１は、表示操作部２６の操作画面を図４の基本画面に切り替える。
【図面の簡単な説明】
【００８２】
【図１】本発明による画像形成装置の一実施の形態の構成を示す概略断面図である。
【図２】図１に示した画像形成装置の制御に関する構成を示すブロック図である。
【図３】図１に示した本実施の形態の画像形成装置の表示操作部に表示する操作画面の遷移を示す状態遷移図である。
【図４】図１に示した本実施の形態の画像形成装置の表示操作部に表示する基本画面の一例を示す図である。
【図５】図１に示した本実施の形態の画像形成装置の表示操作部に表示する出力設定画面の一例を示す図である。
【図６】図１に示した本実施の形態の画像形成装置の表示操作部に表示する原稿設定画面の一例を示す図である。
【図７】図１に示した本実施の形態の画像形成装置の表示操作部に表示する応用設定画面の一例を示す図である。
【図８】図１に示した本実施の形態の画像形成装置の表示操作部に表示するサムネイル表示画面の一例を示す図である。
【図９】図１に示した本実施の形態の画像形成装置の表示操作部に表示するサムネイル表示画面の一例であって、図８のサムネイルに続くページのサムネイルを表示する画面を示す図である。
【符号の説明】
【００８３】
１  原稿読み取りユニット
１ａ  ＡＤＦ
２、３、４  給紙トレイ
２ａ、３ａ、４ａ  給紙手段
５  手差しトレイ
５ａ  給紙手段
６Ｙ、６Ｍ、６Ｃ、６Ｋ  感光体
７Ｙ、７Ｍ、７Ｃ、７Ｋ  帯電手段
８Ｙ、８Ｍ、８Ｃ、８Ｋ  現像手段
９  中間転写ユニット
９ａ  中間転写体
９Ｙ、９Ｍ、９Ｃ、９Ｋ  一次転写手段
１５  レジストローラ
１６  二次転写ローラ
１７  定着手段
１８  排紙ローラ
１３１  ＣＣＤ
１５３Ｙ、１５３Ｍ、１５３Ｃ  原稿書き込みユニット
１５４Ｋ  原稿書き込みユニット
１００  画像形成装置本体
２１  本体制御部
２２  画像入力部
２３  画像処理部
２４  記憶部
２５  印刷制御部
２６  表示操作部
３０  後処理装置
３１  詳細設定ボタン
３２  原稿設定選択ボタン
３３  応用機能選択ボタン
３４  出力とじ方向設定欄
３５  ステイプル設定欄
３６  後処理設定欄
３７  ＯＫボタン
３８  原稿とじ方向設定欄
３９  原稿セット方向設定欄
４０  ＯＫボタン
４１  サムネイル表示／非表示切替ボタン
４２  ＯＫボタン
４５  サムネイル表示欄
４６  ページ選択ボタン
４７  出力設定変更ボタン
４８  原稿設定変更ボタン
【図１】
2005323155.tif 000003
【図２】
2005323155.tif 000004
【図３】
2005323155.tif 000005
【図４】
2005323155.tif 000006
【図５】
2005323155.tif 000007
【図６】
2005323155.tif 000008
【図７】
2005323155.tif 000009
【図８】
2005323155.tif 000010
【図９】
2005323155.tif 000011